(57)【要約】【課題】回動状態を正しく認識してユーザに常に見易い画像を表示させる。【解決手段】第１の筐体（１１）内に設けられ、第１の筐体（１１）の上下方向を検知する縦横センサ２６と、第２の筐体（１２）内に設けられ、第２の筐体（１２）の上下方向を検知する縦横センサ２７と、第１の筐体（１１）に設けられた、画像を撮影する撮影レンズ１４と、上記第２の筐体（１２）に設けられた、撮影レンズ１４で撮影した画像を表示する表示部２３と、縦横センサ２６，２７の各検知結果に基づいて撮影レンズ１４で撮影した画像の上下方向を反転して表示部２３で表示させる制御部４２とを備える。【選択図】    図３
2004289412.tif 000002
【特許請求の範囲】
【請求項１】
第１及び第２の筐体をヒンジ部を介して回動自在に接続してなる携帯電子機器において、
上記第１の筐体内に設けられ、該第１の筐体の少なくとも上下方向を検知する第１のセンサと、
上記第２の筐体内に設けられ、該第２の筐体の少なくとも上下方向を検知する第２のセンサと、
上記第１の筐体に設けられた、画像を撮影する撮影手段と、
上記第１または第２の筐体に設けられた、上記撮影手段で撮影した画像を表示する表示手段と、
上記第１及び第２のセンサの各検知結果に基づいて上記撮影手段で撮影した画像の左右方向及び上下方向の少なくとも一方を反転して上記表示手段で表示させる表示制御手段と
を具備したことを特徴とする携帯電子機器。
【請求項２】
上記第１及び第２のセンサは共に縦横センサであることを特徴とする請求項１記載の携帯電子機器。
【請求項３】
上記第１及び第２のセンサは共に、３次元空間中で設けられている筐体の姿勢を検知する３次元センサであることを特徴とする請求項１記載の携帯電子機器。
【請求項４】
上記表示手段は複数の表示画面を有し、
上記表示制御手段は、上記第１及び第２のセンサの各検知結果に基づいて複数の表示画面から１つを選択し、上記撮影手段で撮影した画像を表示させる
ことを特徴とする請求項１記載の携帯電子機器。
【請求項５】
第１及び第２の筐体をヒンジ部を介して回動自在に接続してなる携帯電子機器の表示制御方法において、
上記第１の筐体内に設けられた、該第１の筐体の少なくとも上下方向を検知する第１のセンサの検知出力を得る第１の検知工程と、
上記第２の筐体内に設けられた、該第２の筐体の少なくとも上下方向を検知する第２のセンサの検知出力を得る第２の検知工程と、
上記第１の筐体に設けられたカメラ部で画像を撮影する撮影工程と、
上記第１または第２の筐体に設けられた表示部で、上記カメラ部で撮影した画像を表示する表示工程と、
上記第１及び第２の検知工程で得た上記第１及び第２のセンサの各検知出力に基づいて上記カメラ部で撮影した画像の左右方向及び上下方向の少なくとも一方を反転して上記表示部で表示させる表示制御工程と
を有したことを特徴とする携帯電子機器の表示制御方法。
【発明の詳細な説明】
【０００１】
【発明の属する技術分野】
本発明は、折りたたみ式のデジタルカメラや携帯電話機等に好適な携帯電子機器及びその表示制御方法に関する。
【０００２】
【従来の技術】
近時、銀塩フィルムを使用するカメラに代わって、撮影した画像を電子データ化して取得することが可能なデジタルスチルカメラが広く普及している。
【０００３】
この種のデジタルスチルカメラで、スイバル構造等とも呼称される、カメラ本体に対して撮像部を回動自在に支持する構造として、携帯時の携帯性を阻害せずに、撮影レンズとＣＣＤ等の撮像素子を含む撮像部の空間をある程度大きく確保し、充分な光学性能を得るようにしたものがある。
【０００４】
加えて、カメラ本体に対して撮像部を回動自在に支持する構造とすることにより、例えばローアングル撮影を行なう場合でもカメラ本体の背面に設けられるモニタ表示部が上向きとなるようにカメラを保持すれば、ユーザの姿勢に負担をかけることなく撮影を実行できるなど、撮像部の被写体に対する向きに対して表示部の向きを一定の角度範囲内で自由に可変できるため、撮影の自由度を向上できる。
【０００５】
しかるに、撮像部を本来の向きからカメラ本体の背面方向まで１８０°回動させ、表示部と同じ方向に向けてユーザが自分自身を撮影するような場合、表示部にはその上下方向または左右方向が反転したモニタ画像が表示されることになる。したがって、撮影範囲を決定するに当たって撮影部の向きを変えると、表示部では反対の向きに移動した画像が表示されることになり、ユーザはきわめて不自然な応答動作をしなければならない。
【０００６】
そのため、この種の回動構造を有するカメラでは一般に、カメラのヒンジ部に撮像部が１８０°回動されたことを検出するメカニカルスイッチを設け、このスイッチにより撮像部が１８０°回動されたことを検出した場合には、モニタ表示される画像の上下方向または左右方向を反転させた、所謂「鏡像」を表示させることで対処している。
【０００７】
しかしながら、メカニカルスイッチは小型化が困難であると共に、耐久性の点で劣っており、故障の要因となり易い。そこで、回動状態を検出するための機構として、メカニカルスイッチに代えて例えば縦横センサを用いることが考えられる。
【０００８】
縦横センサを用いた電子カメラ装置としては、例えば撮影光軸を中心とするカメラ本体の回転方向の傾き角度を検出し、その検出結果に基づいてフレーミングのガイド枠線を適宜角度だけ回転させてファインダに表示するようにした技術が記載されている。（例えば、特許文献１参照。）
【０００９】
【特許文献１】
特開平２００２−２３２７５３号公報
【００１０】
【発明が解決しようとする課題】
上記特許文献１は、カメラ本体と撮像部が一体となった構造を有する電子カメラ装置に縦横センサを用いた技術であり、カメラ本体に対して撮像部が回動可能な構造を有するカメラ装置に上記特許文献１の技術を適用する場合には、回動される撮像部側の内部に上記縦横センサを設けることになると考えられる。
【００１１】
しかしながら、カメラ本体に対して回動可能な撮像部を有するカメラで撮影を行なう場合、カメラ本体の側が常に一定の向きで保持されるとは限らず、例えばカメラ本体を鉛直方向に向けて保持した場合には、撮像部がカメラ本体背面の表示部と同一の方向に向けて回動されていたとしても、縦横センサによりその状態を正確に検出することはできない。
【００１２】
本発明は上記のような実情に鑑みてなされたもので、その目的とするところは、２つの筐体をヒンジ部を介して回動自在に接続してなる、撮像部と表示部とを有した携帯電子機器において、その回動状態を正しく認識してユーザに常に見易い画像を表示させることが可能な携帯電子機器及びその表示制御方法を提供することにある。
【００１３】
【課題を解決するための手段】
請求項１記載の発明は、第１及び第２の筐体をヒンジ部を介して回動自在に接続してなる携帯電子機器において、上記第１の筐体内に設けられ、該第１の筐体の少なくとも上下方向を検知する第１のセンサと、上記第２の筐体内に設けられ、該第２の筐体の少なくとも上下方向を検知する第２のセンサと、上記第１の筐体に設けられた、画像を撮影する撮影手段と、上記第１または第２の筐体に設けられた、上記撮影手段で撮影した画像を表示する表示手段と、上記第１及び第２のセンサの各検知結果に基づいて上記撮影手段で撮影した画像の左右方向及び上下方向の少なくとも一方を反転して上記表示手段で表示させる表示制御手段とを具備したことを特徴とする。
【００１４】
このような構成とすれば、２つの筐体それぞれの上下方向からその回動状態と保持されているおおよその姿勢を認識することができるため、常にユーザに見易い画像を表示させることが可能となる。
【００１５】
請求項２記載の発明は、上記請求項１記載の発明において、上記第１及び第２のセンサは共に縦横センサであることを特徴とする。
【００１６】
このような構成とすれば、上記請求項１記載の発明の作用に加えて、例えば縦長の画像を撮影するべくカメラ全体を左右いずれかに略９０°傾けて保持する場合でも、常にユーザに見易い画像を表示させることが可能となる。
【００１７】
請求項３記載の発明は、上記請求項１記載の発明において、上記第１及び第２のセンサは共に、３次元空間中で設けられている筐体の姿勢を検知する３次元センサであることを特徴とする。
【００１８】
このような構成とすれば、上記請求項１記載の発明の作用に加えて、例えば第１の筐体と第２の筐体とがＢｌｕｅｔｏｏｔｈ（登録商標）等の無線インタフェース技術を用い、あるいは接続ケーブルを介して分離可能とした場合にも、それぞれの筐体の姿勢の相対位置関係を正確に把握し、常にユーザに見易い画像を表示させることが可能となる。
【００１９】
請求項４記載の発明は、上記請求項１記載の発明において、上記表示手段は複数の表示画面を有し、上記表示制御手段は、上記第１及び第２のセンサの各検知結果に基づいて複数の表示画面から１つを選択し、上記撮影手段で撮影した画像を表示させることを特徴とする。
【００２０】
このような構成とすれば、上記請求項１記載の発明の作用に加えて、複数の表示画面がある場合に、２つの筐体の回動状態からより適した側の表示画面を選択して正しい向きに撮影画像が表示させるため、無駄に電力を消費することなく、よりユーザの使い勝手を向上できる。
【００２１】
請求項５記載の発明は、第１及び第２の筐体をヒンジ部を介して回動自在に接続してなる携帯電子機器の表示制御方法において、上記第１の筐体内に設けられた、該第１の筐体の少なくとも上下方向を検知する第１のセンサの検知出力を得る第１の検知工程と、上記第２の筐体内に設けられた、該第２の筐体の少なくとも上下方向を検知する第２のセンサの検知出力を得る第２の検知工程と、上記第１の筐体に設けられたカメラ部で画像を撮影する撮影工程と、上記第１または第２の筐体に設けられた表示部で、上記カメラ部で撮影した画像を表示する表示工程と、上記第１及び第２の検知工程で得た上記第１及び第２のセンサの各検知出力に基づいて上記カメラ部で撮影した画像の左右方向及び上下方向の少なくとも一方を反転して上記表示部で表示させる表示制御工程とを有したことを特徴とする。
【００２２】
このような方法とすれば、２つの筐体それぞれの上下方向からその回動状態と保持されているおおよその姿勢を認識することができるため、常にユーザに見易い画像を表示させることが可能となる。
【００２３】
【発明の実施の形態】
（第１の実施の形態）
以下本発明をデジタルスチルカメラに適用した場合の第１の実施の形態について図面を参照して説明する。
【００２４】
図１は同実施の形態に係るデジタルスチルカメラ１０の外観構成を示すもので、図１（Ａ）が収納／携帯時、図１（Ｂ）が略１８０°の展開時、図１（Ｃ）が通常使用時の状態を示す。
【００２５】
図示する如くこのデジタルスチルカメラ１０は、平板状の第１の筐体１１と、同じく平板状の第２の筐体１２とを、２軸構造のヒンジ部１３で接続してそれぞれ回動自在に支持するようにして構成される。
【００２６】
図１（Ｃ）に示す通常使用時に表面側で且つカメラの前面側となる第１の筐体１１の一面には、図１（Ｂ）の展開時で示すように、撮影レンズ１４、ストロボ発光部１５、マイクロホン１６、及びセルフタイマインジケータ１７が設けられる。
【００２７】
撮影レンズ１４は、例えば単焦点の光学レンズ系が鏡筒に納められて突出形成される。
【００２８】
ストロボ発光部１５は、撮影レンズ１４の撮影範囲をカバーするべくストロボ光を照射する。
【００２９】
マイクロホン１６は、動画像撮影時及び音声メモ記録時に撮影レンズ１４の撮影範囲と一致する前方の音声を集音する。
【００３０】
セルフタイマインジケータ１７は、例えば赤色のＬＥＤ（発光ダイオード）でなり、セルフタイマモードでの撮影時にシャッタキー操作から実際に撮影が実行されるまでの間、点滅発光する。
【００３１】
また、図１（Ｃ）に示す通常使用時に表面側で且つカメラの背面側となる第２の筐体１２の一面には、レンズよけ凹部１８、スピーカ１９、メニューキー２０、回転ダイヤル２１、セットキー２２、及び表示部２３が設けられる。
【００３２】
レンズよけ凹部１８は、上記図１（Ａ）に示す携帯時に上記第１の筐体１１の撮影レンズ１４に対向する位置に形成される。
【００３３】
スピーカ１９は、動画像または音声メモの再生時に拡声放音する。
【００３４】
メニューキー２０は、各種モードメニュー項目等を表示させるために操作するキーである。
【００３５】
回転ダイヤル２１は、複数のメニュー項目から１つを選択するために回転操作するものであり、セットキー２２は上記回転ダイヤル２１の中心に位置し、選択したメニュー項目の確定を指示するために押圧操作する。
【００３６】
表示部２３は、バックライト付きのカラーＴＦＴ液晶パネルで構成され、撮影を行なう記録モードではその時点に撮影している被写体像をモニタ表示する一方で、再生モードでは記録した画像を表示出力する。
【００３７】
さらに、図１（Ｃ）に示す通常使用時に表面側で且つカメラの上面側となるヒンジ部１３の一面の右端には、シャッタキー２４が設けられる。
【００３８】
このシャッタキー２４は、記録モード時に撮影タイミングで押圧操作することにより撮影を指示する。
【００３９】
なお、図１（Ｂ）にその一部を示すように、第１の筐体１１及び第２の筐体１２共に上記ヒンジ部１３を設けた端面と相対向する反対側の端面には、それぞれ２個、合計で４個の滑り止め部２５ａ〜２５ｄが設けられるものとする。
【００４０】
また、図２に示すように第１の筐体１１と第２の筐体１２の各筐体内にはそれぞれ、縦横センサ２６，２７が筐体平面に沿って設けられる。上記図１（Ｂ）と同様のこの図２に示す展開状態で、図示する如く各縦横センサ２６，２７の検知方向をそれぞれＡ〜Ｄとする。これら縦横センサ２６，２７は、その時点で上となっている方向と下となっている方向とを検知するもので、この状態では、縦横センサ２６，２７共に、方向Ａが上、方向Ｃが下であることを検知する。
【００４１】
図３は、上記デジタルスチルカメラ１０に設けられる電子回路の構成を示すものである。同図で、基本モードである記録モードにおいては、モータ（Ｍ）３１の駆動により合焦位置や絞り位置が移動される、上記撮影レンズ１４を構成するレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００４２】
この光電変換出力は、アナログ値の信号の状態でＲＧＢの各原色成分毎に適宜ゲイン調整された後に、サンプルホールド回路（Ｓ／Ｈ）３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ
Ｍｅｍｏｒｙ  Ａｃｃｅｓｓ）コントローラ３９に出力される。
【００４３】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ４９内部のバッファに書込み、ＤＲＡＭインタフェース（Ｉ／Ｆ）４０を介してバッファメモリとして使用されるＤＲＡＭ４１にＤＭＡ転送を行なう。
【００４４】
制御部４２は、ＣＰＵと、後述する上記縦横センサ２６，２７の検知出力に対応した表示制御の処理を含む該ＣＰＵで実行される動作プログラムを固定的に記憶したＲＯＭ、及びワークメモリとして使用されるＲＡＭ等により構成され、このデジタルスチルカメラ１０全体の制御動作を司るもので、上記輝度及び色差信号のＤＲＡＭ４１へのＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。
【００４５】
デジタルビデオエンコーダ４５は、上記輝度及び色差信号をＶＲＡＭコントローラ４３を介してＶＲＡＭ４４より定期的に読出し、これらのデータを元にビデオ信号を発生して上記表示部２３に出力する。
【００４６】
この表示部２３は、上述した如く記録モード時にはモニタ表示部（電子ファインダ）として機能するもので、デジタルビデオエンコーダ４５からのビデオ信号に基づいた表示を行なうことで、その時点でＶＲＡＭコントローラ４３から取込んでいる画像情報に基づく画像をリアルタイムに表示することとなる。
【００４７】
このように表示部２３にその時点での画像がモニタ画像としてリアルタイムに表示されている状態で、静止画撮影を行ないたいタイミングでキー入力部４６を構成する上記シャッタキー２４を操作すると、トリガ信号を発生する。
【００４８】
制御部４２は、このトリガ信号に応じてその時点でＣＣＤ３３から取込んでいる１画面分の輝度及び色差信号のＤＲＡＭ４１へのＤＭＡ転送の終了後、直ちにＣＣＤ３３からのＤＲＡＭ４１への経路を停止し、記録保存の状態に遷移する。
【００４９】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４７に書込み、このＪＰＥＧ回路４７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５０】
そして、得た符号データを１画像のデータファイルとして該ＪＰＥＧ回路４７から読出し、このデジタルスチルカメラ１０の記録媒体として着脱自在に装着されるメモリカード４８か、またはこのデジタルスチルカメラ１０に固定的に内蔵される内蔵メモリ４９のいずれか一方に書込む。
【００５１】
そして、１フレーム分の輝度及び色差信号の圧縮処理及びメモリカード４８または内蔵メモリ４９への全圧縮データの書込み終了に伴なって、制御部４２はＣＣＤ３３からＤＲＡＭ４１への経路を再び起動する。
【００５２】
また、制御部４２にはさらに、音声処理部５０、ＵＳＢインタフェース５１、ストロボ駆動部５２、及び上記縦横センサ２６，２７が接続される。
【００５３】
音声処理部５０は、ＰＣＭ音源等の音源回路を備え、音声の録音時には上記マイクロホン（ＭＩＣ）１６より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード４８または内蔵メモリ４９へ送出する一方、音声の再生時にはメモリカード４８または内蔵メモリ４９から送られてきた音声データファイルの圧縮を解いてアナログ化し、上記スピーカ（ＳＰ）１９を駆動して、拡声放音させる。
【００５４】
ＵＳＢインタフェース５１は、ＵＳＢコネクタを介して有線接続される情報端末装置との間で画像データその他の送受を行なう場合の通信制御を行なう。
【００５５】
ストロボ駆動部５２は、静止画像撮影時に図示しないストロボ用の大容量コンデンサを充電した上で、制御部４２からの制御に基づいて上記ストロボ発光部１５を閃光駆動する。
【００５６】
なお、上記キー入力部４６は、上述したシャッタキー２４の他に、上記メニューキー２０、回転ダイヤル２１、及びセットキー２２等から構成され、それらのキー操作に伴なう信号は直接制御部４２へ送出される。
【００５７】
しかるに、静止画像ではなく動画像の撮影時においては、キー入力部４６のシシャッタキー２４が操作され続けている間、上述した静止画像データをＪＰＥＧ回路４７でデータ圧縮した静止画データファイルのメモリカード４８または内蔵メモリ４９への記録を時間的に連続して実行し、該シャッタキー２４の操作が終わるか、または所定の制限時間、例えば３０秒が経過した時点でそれら一連の静止画データファイルを一括してモーションＪＰＥＧのデータファイルとして設定し直す。
【００５８】
また、基本モードである再生モード時には、制御部４２がメモリカード４８または内蔵メモリ４９に記録されている画像データを選択的に読出し、ＪＰＥＧ回路４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、上記表示部２３で再生出力させる。
【００５９】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００６０】
次に上記実施の形態の動作について説明する。
図４は、主として制御部４２が実行する、記録モード時の表示制御を含む処理内容を示すものである。
【００６１】
その処理当初には、第１の筐体１１内の縦横センサ２６と第２の筐体１２内の縦横センサ２７の各検知出力を取得し（ステップＡ０１）、その検知結果に応じて必要により上下変換して表示部２３にモニタ表示させながら（ステップＡ０２）、シャッタキー２４が操作されたか否かを判断し（ステップＡ０３）、操作されていなければ再び上記ステップＡ０１に戻る、という処理を繰返し実行することで、そのときの第１の筐体１１と第２の筐体１２のヒンジ部１３に対する回動状態に対応したモニタ表示制御を行ないながら、シャッタキー２４が操作されるのを待機する。
【００６２】
図５（Ａ）は、第１の筐体１１内の縦横センサ２６（♯１）と第２の筐体１２内の縦横センサ２７（♯２）の検知出力に対する表示部２３での表示制御の内容を例示するものである。
【００６３】
すなわち、上記図１（Ｂ）及び図２で示したように第１の筐体１１と第２の筐体１２とを略１８０°の角度で展開した状態では、縦横センサ２６のＡ方向及び縦横センサ２７のＡ方向が共に上となり、同時に縦横センサ２６のＣ方向と縦横センサ２７のＣ方向が共に下となって、このデジタルスチルカメラ１０のユーザが表示部２３を見ながら自分自身を撮影（図では「自分撮り」と称する）しようとしているものと判断し、撮影レンズ１４で撮影した画像の上下が表示部２３で逆となるように鏡像を表示させる。
【００６４】
これは、例えばＤＲＡＭ４１に保持される１フレーム分の画像データを読出してデジタルビデオエンコーダ４５でビデオ信号を作成し、表示部２３で表示させる際、フレーム中の下のラインから順次読出してデジタルビデオエンコーダ４５でビデオ信号を作成させるようにすれば、容易に実現できる。
【００６５】
一方、上記図１（Ｃ）で示したように第１の筐体１１の撮影レンズ１４と第２の筐体１２の表示部２３でなる各機能部が形成された面が互いに外側に向いた通常使用の状態では、縦横センサ２６のＡ方向が下の時に縦横センサ２７のＡ方向が上となり、同時に縦横センサ２６のＣ方向が上で縦横センサ２７のＣ方向が下となって、このデジタルスチルカメラ１０のユーザが表示部２３を見ながら自分以外の被写体を撮影（図では「相手撮り」と称する）しようとしているものと判断し、撮影レンズ１４で撮影した画像の上下が表示部２３でそのままとなるように実像を表示させる。
【００６６】
こうして、図１（Ｂ）及び図２で示した展開時と図１（Ｃ）で示した通常使用時とで表示部２３で表示させるモニタ画像を必要により適宜上下反転させながら、シャッタキー２４が操作されるのを待機する。
【００６７】
しかして、シャッタキー２４が操作されると上記ステップＡ０３でこれを判断し、撮影を実行するものとして（ステップＡ０４）、その時点でＤＲＡＭ４１に書込まれている１フレーム分の画像データをＤＲＡＭインタフェース４０を介してＪＰＥＧ回路４７に読出す。
【００６８】
この際、上記ステップＡ０２で表示部２３で表示させるモニタ画像を上下反転させていた場合にのみ、同様にその上下を反転するものとして画像データの変換を行ない（ステップＡ０５）、ＪＰＥＧ回路４７でデータ圧縮した後に（ステップＡ０６）、１画像のデータファイルとしてメモリカード４８または内蔵メモリ４９に記録、保存する（ステップＡ０７）。
【００６９】
その後、再び上記ステップＡ０１に戻ってモニタ画像を表示させつつシャッタキー２４の操作を待機する動作に戻る。
【００７０】
このように、ヒンジ部１３を挟んでデジタルスチルカメラ１０を構成する２つの筐体１１，１２それぞれの上下方向から、ヒンジ部１３における回動状態とデジタルスチルカメラ１０が保持されているおおよその姿勢を認識することができる。そのため、このデジタルスチルカメラ１０のユーザに対して表示部２３で常に見易いモニタ画像を表示させておくことが可能となる。
【００７１】
なお、上記図１（Ｂ）及び図２で示した第１の筐体１１と第２の筐体１２とを略１８０°に展開した状態で、さらに第２の筐体１２に対する第１の筐体１１の取付け角度を上記回動面と直交する回動面で（ひねるように）１８０°回動できるような構造をヒンジ部１３が有するものとした場合、すなわちデジタルスチルカメラ１０全体としては図１（Ｂ）及び図２に示したように第１の筐体１１と第２の筐体１２とを略１８０°に展開し、且つ第１の筐体１１が図１（Ｃ）に示すように撮影レンズ１４を第２の筐体１２の表示部２３とは反対の方向を向くように回動できるようヒンジ部１３が３軸構造を有するものとした場合には、上記縦横センサ２６，２７の各検知方向Ｂ，Ｄの状態も勘案してさらに詳細な表示制御を実行できる。
【００７２】
図５（Ｂ）は、第１の筐体１１内の縦横センサ２６（♯１）と第２の筐体１２内の縦横センサ２７（♯２）の検知出力に対する表示部２３での表示制御の他の内容を例示するもので、こうして縦横センサ２６，２７の検知方向Ｂ，Ｄの出力も勘案することで、例えば縦長の画像を撮影するべく、ユーザがデジタルスチルカメラ１０全体を左右いずれか撮影光軸に垂直な平面に沿って略９０°傾けて保持するような場合でも、常にユーザに見易いモニタ画像を表示部２３で表示させることが可能となる。
【００７３】
さらに、ヒンジ部１３において第１の筐体１１と第２の筐体１２の少なくとも一方が分離可能とし、これら２つの筐体１１，１２間を例えばＢｌｕｅｔｏｏｔｈ（登録商標）やＨｏｍｅＲＦ等の無線インタフェース技術を用い、あるいは接続ケーブルを介して有線接続するものとした場合にも、上記縦横センサ２６，２７に代えて、３次元空間中で設けられている筐体１１，１２の姿勢を検知する３次元センサを用いるものとすれば、それぞれの筐体１１，１２の姿勢の相対位置関係を正確に把握し、常にユーザに見易い画像を表示させることが可能となる。
【００７４】
（第２の実施の形態）
以下本発明をカメラ機能付きのＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の第２の実施の形態について図面を参照して説明する。
【００７５】
図６（Ａ），（Ｂ）は、この第２の実施の形態に係る携帯電話機６０の外観構成を示すもので、ヒンジ部６１を介在して２つの筐体６２，６３が一体に構成された折りたたみ式となっており、図６（Ａ）が最大限に開いた状態の内面を、図６（Ｂ）が折りたたんだ状態の主として上部筐体６２の外面を示す。
【００７６】
図６（Ａ）に示すように上部筐体６２の内面には、受話器となるスピーカ６４及びメイン表示部６５が備えられる。
【００７７】
一方、下部筐体６３の内面には、ダイヤルキー等を含む各種キー６６及び送話器となるマイクロホン６７が備えられる。
【００７８】
また、図６（Ｂ）に示すように、上部筐体６２の外面には、カメラ部６８とサブ表示部６９とが備えられる。さらに、下部筐体６３内にも延在されているアンテナ７０がヒンジ部６１より外部に突出形成される。
【００７９】
さらに、ここでは図示しないが、下部筐体６３の例えば右側面にはメモリカードを装着するためのカードスロットと、上部筐体６２及び下部筐体６３を折りたたんだ状態で上記カメラ部６８により撮影を行なうためのシャッタキーとが設けられるものとする。
【００８０】
図７に示すように上部筐体６２と下部筐体６３の各筐体内にはそれぞれ、縦横センサ７１，７２が筐体平面に沿って設けられる。上記図６（Ａ）と同様のこの図７に示す展開状態で、図示する如く各縦横センサ７１，７２の検知方向をそれぞれＡ〜Ｄとする。これら縦横センサ７１，７２は、その時点で上となっている方向と下となっている方向とを検知する。
【００８１】
図８は、上記携帯電話機６０の回路構成を示すものである。同図で、上記アンテナ７０は最寄りの基地局とＣＤＭＡ方式の通信を行なうものであり、このアンテナ７０にＲＦ部８１を接続している。
【００８２】
このＲＦ部８１は、受信時にはアンテナ７０から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部８２へ出力する。
【００８３】
一方、ＲＦ部８１は送信時に、変復調部８２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部８５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ７０より輻射送信させる。
【００８４】
変復調部８２は、受信時にＲＦ部８１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、約１０［ＭＨｚ］のサンプルレートでデジタル化してＣＤＭＡ部８３に出力する。
【００８５】
一方、変復調部８２は送信時に、ＣＤＭＡ部８３から送られてくるデジタル値のＩ・Ｑ信号を約５［ＭＨｚ］のサンプルレートでアナログ化した後に直交変調器でＯＱＰＳＫ変調してＲＦ部８１に送出する。
【００８６】
ＣＤＭＡ部８３は、受信時に変復調部８２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部８４に出力する。
【００８７】
一方、ＣＤＭＡ部８３は送信時に、音声処理部８４からの出力シンボルを拡散処理した後にデジタルフィルタで帯域制限をかけてＩ・Ｑ信号とし、変復調部８２に送出する。
【００８８】
音声処理部８４は、受信時にＣＤＭＡ部８３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）６４を拡声駆動させる。
【００８９】
一方、音声処理部８４は送信時に、上記マイクロホン（ＭＩＣ）６７から入力されるアナログの音声信号をデジタル化した後に音声処理ＤＳＰでデータ量を１／８以下に圧縮し、それから畳込み符号器で誤り訂正符号化してからインタリーブし、その出力シンボルをＣＤＭＡ部８３へ送出する。
【００９０】
しかして、上記ＲＦ部８１、変復調部８２、ＣＤＭＡ部８３、及び音声処理部８４に対して制御部８５を接続し、この制御部８５にＧＰＳレシーバ８６、画像撮影部８７、画像処理部８８、上記メイン表示部６５、上記サブ表示部６９、メモリカード８９、及び上記縦横センサ７１，７２を接続している。
【００９１】
ここで制御部８５は、ＣＰＵとその動作プログラムを固定的に記憶したＲＯＭ、及びワークメモリとして使用されるＲＡＭ等で構成され、この携帯電話機６０全体の動作を制御する。
【００９２】
ＧＰＳレシーバ８６は、ＧＰＳアンテナ９０が受信する複数のＧＰＳ衛星からの測位情報により現在位置の緯度、経度、及び高度と正確な現在時刻とを算出し、制御部８５へ出力する。
【００９３】
画像撮影部８７は、制御部８５の制御の下に、上記カメラ部６８を構成する光学レンズ系９１の撮影光軸後方に配置されたＣＣＤ９２での撮影動作を制御し、撮影により得られる画像データをデジタル化して出力する。
【００９４】
画像処理部８８は、画像撮影部８７より得られる画像データを例えばＪＰＥＧ方式に基づいてデータ圧縮する一方で、受信した画像データのデータ圧縮を解いて伸長し、元のビットマップ状の画像データを得る。
【００９５】
メモリカード８９は、上述した如くこの携帯電話機６０に着脱自在に備えられるもので、自機で撮影した画像データや受信により得た画像データ等を記憶しておく。
【００９６】
次に上記実施の形態の動作について説明する。
図９は、主として制御部８５が実行する、待受けモード時の画像撮影を含む処理内容を示すものである。
【００９７】
その処理当初には、カメラ部６８を用いての画像撮影を行なうキー操作がなされたか否か（ステップＢ０１）、この携帯電話機６０宛の着信があったか否か（ステップＢ０２）、を繰返し判断することで、これらの状態となるのを待機する。
【００９８】
しかして、この携帯電話機６０宛の着信があった場合、ステップＢ０２でこれを判断して着信に関する通常の処理を実行するが、本実施の形態では特に関連がないものとしてその内容は省略する。
【００９９】
また、カメラ部６８を用いての画像撮影を行なうキー操作がなされた場合、ステップＢ０１でこれを判断し、その時点で上部筐体６２内の縦横センサ７１と下部筐体６３内の縦横センサ７２の各検知出力を取得し（ステップＢ０３）、その検知結果に応じて上記メイン表示部６５とサブ表示部６９のいずれか一方を選択し、必要により左右変換してモニタ表示させながら（ステップＢ０４）、該当するシャッタキーが操作されたか否かを判断し（ステップＢ０５）、操作されていなければ再び上記ステップＢ０３に戻る、という処理を繰返し実行することで、そのときの上部筐体６２と下部筐体６３のヒンジ部１３に対する回動状態に対応したモニタ表示制御を行ないながら、該当するシャッタキーが操作されるのを待機する。
【０１００】
図１０は、上部筐体６２内の縦横センサ７１（♯１）と下部筐体６３内の縦横センサ７２（♯２）の検知出力に対するメイン表示部６５またはサブ表示部６９での表示制御の内容を例示するものである。
【０１０１】
すなわち、上記図６（Ａ）及び図７で示したように上部筐体６２と下部筐体６３とを最大限に展開した状態では、縦横センサ７１のＡ方向及び縦横センサ７２のＡ方向が共に上（または下）となり、同時に縦横センサ７１のＣ方向と縦横センサ７２のＣ方向が共に下（または上）となって、この携帯電話機６０のユーザが上部筐体６２の内面側のメイン表示部６５を見ながら、同じく上部筐体６２の反対に位置する外面側のカメラ部６８で自分以外の被写体を撮影（図では「相手撮り」と称する）しようとしているものと判断し、カメラ部６８で撮影した画像がメイン表示部６５でそのままとなるように実像を表示させる。
【０１０２】
この場合、上部筐体６２と下部筐体６３とを展開した状態で撮影を行なうため、撮影を実行させるためのシャッタキーは下部筐体６３の内面側に配置された各種キー６６中の１つとする。
【０１０３】
一方、上記図６（Ｂ）で示したように上部筐体６２と下部筐体６３とを折りたたんだ状態では、縦横センサ７１のＡ方向が下（または上）の時に縦横センサ７２のＡ方向が上（または下）となり、同時に縦横センサ７１のＣ方向が上（または下）で縦横センサ７２のＣ方向が下（または上）となって、この携帯電話機６０のユーザがサブ表示部６９を見ながら同一面に配設されたカメラ部６８により自分自身を撮影（図では「自分撮り」と称する）しようとしているものと判断し、撮影レンズ１４で撮影した画像の左右がサブ表示部６９で反転するように鏡像を表示させ、撮影範囲の移動に関してユーザに不自然な影響を与えないようにさせる。
【０１０４】
この場合、上部筐体６２と下部筐体６３とを折りたたんだ状態で撮影を行なうため、上記上部筐体６２内面の各種キー６６はいずれも操作できない。したがって、撮影を実行させるためのシャッタキーは、上述した如く上部筐体６２の右側面にメモリカード用のカードスロットと共に配置された、図示しないキーであるものとする。
【０１０５】
こうして、図６（Ａ）及び図７で示した展開時と図６（Ｂ）で示した折りたたみ時とでモニタ画像を表示する画面を選択的にメイン表示部６５とサブ表示部６９の一方に切換ると共に、そのモニタ画像を必要により適宜左右反転させながら、シャッタキーが操作されるのを待機する。
【０１０６】
しかして、シャッタキー２４が操作されると上記ステップＢ０６でこれを判断し、撮影を実行するものとして（ステップＢ０６）、その時点で得た１フレーム分の画像データを画像撮影部８７から画像処理部８８に読出す。
【０１０７】
読出した画像データを画像処理部８８でデータ圧縮した後に（ステップＢ０７）、この画像データのファイルを電子メールに添付して任意の相手に送信するか否かを判断する（ステップＢ０７）。
【０１０８】
ここで、この時点では送信しない旨の操作を選択した場合には、撮影により得た画像データファイルを一旦メモリカード８９の所定のファイルフォルダに記録、保存した上で（ステップＢ０９）、以上で一連の処理を終了して、再び上記ステップＢ０１からの処理に戻る。
【０１０９】
また、上記ステップＢ０７で撮影した画像データのファイルを電子メールらに添付して送信する旨の操作を選択した場合には、電子メールを送信するための書式データ、すなわち、送信先（及び同報先）のメールアドレスの選択または入力、件名の入力及びメール本文の入力を実行した上で（ステップＢ１０）、当該電子メールを送信処理し（ステップＢ１１）、以上で一連の処理を終了して、再び上記ステップＢ０１からの処理に戻る。
【０１１０】
このように、ヒンジ部６１を挟んで携帯電話機６０を構成する２つの筐体６２，６３それぞれの上下方向から、ヒンジ部６１における回動状態と携帯電話機６０が保持されているおおよその使用状況を認識することができる。そのため、この携帯電話機６０のユーザに対してメイン表示部６５またはサブ表示部６９で常に見易いモニタ画像を表示させておくことが可能となる。
【０１１１】
特に、「自分撮り」でこの携帯電話機６０のユーザがサブ表示部６９を見ながらカメラ部６８で自分自身を撮影しようとしている場合、サブ表示部６９で表示させる画像は左右を反転した鏡像であり、これによりユーザが撮影範囲を移動させるべくカメラ部６８の対向方向を変化させた場合にサブ表示部６９で表示される画像が反対方向に移動するのを回避できるため、不自然な影響を与えないようにできる。
【０１１２】
加えて、図６（Ａ）に示した如く携帯電話機６０を開いて使用している場合にはサブ表示部６９の表示駆動をオフし、反対に図６（Ｂ）に示した如く携帯電話機６０を折りたたんで使用している場合にはメイン表示部６５の表示駆動をオフすることにより、無駄な電力の消費も回避できる。
【０１１３】
なお、上記第１の実施の形態は本発明をデジタルスチルカメラに適用した場合、第２の実施の形態は本発明をカメラ機能付きの携帯電話機に適用した場合について説明したものであるが、本発明はこれに限るものではなく、他にもカメラ機能付きのＰＤＡ（Ｐｅｒｓｏｎａｌ  Ｄｉｇｉｔａｌ  Ａｓｓｉｓｔａｎｔ：携帯情報端末）など２つの筐体をヒンジ部で回動自在に接続した電子機器で、画像の撮影部と表示部とを有するものであれば、同様に適用可能となる。
【０１１４】
その他、本発明は上記実施の形態に限らず、その要旨を逸脱しない範囲内で種々変形して実施することが可能であるものとする。
【０１１５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１１６】
【発明の効果】
請求項１記載の発明によれば、２つの筐体それぞれの上下方向からその回動状態と保持されているおおよその姿勢を認識することができるため、常にユーザに見易い画像を表示させることが可能となる。
【０１１７】
請求項２記載の発明によれば、上記請求項１記載の発明の効果に加えて、例えば縦長の画像を撮影するべくカメラ全体を左右いずれかに略９０°傾けて保持する場合でも、常にユーザに見易い画像を表示させることが可能となる。
【０１１８】
請求項３記載の発明によれば、上記請求項１記載の発明の効果に加えて、例えば第１の筐体と第２の筐体とがＢｌｕｅｔｏｏｔｈ（登録商標）等の無線インタフェース技術を用い、あるいは接続ケーブルを介して分離可能とした場合にも、それぞれの筐体の姿勢の相対位置関係を正確に把握し、常にユーザに見易い画像を表示させることが可能となる。
【０１１９】
請求項４記載の発明によれば、上記請求項１記載の発明の効果に加えて、複数の表示画面がある場合に、２つの筐体の回動状態からより適した側の表示画面を選択して正しい向きに撮影画像が表示させるため、無駄に電力を消費することなく、よりユーザの使い勝手を向上できる。
【０１２０】
請求項５記載の発明によれば、２つの筐体それぞれの上下方向からその回動状態と保持されているおおよその姿勢を認識することができるため、常にユーザに見易い画像を表示させることが可能となる。
【図面の簡単な説明】
【図１】本発明の第１の実施の形態に係るデジタルスチルカメラの外観構成を示す斜視図。
【図２】同実施の形態に係る各筐体内に設けられる縦横センサとその検知方向を例示する図。
【図３】同実施の形態に係る電子回路の構成を示すブロック図。
【図４】同実施の形態に係る主として制御部が実行する記録モード時の表示制御を含む処理内容を示すフローチャート。
【図５】同実施の形態に係る縦横センサの検知出力と表示する画像の方向との対応を示す図。
【図６】本発明の第２の実施の形態に係るカメラ機能付き携帯電話機の外観構成を示す平面図。
【図７】同実施の形態に係る各筐体内に設けられる縦横センサとその検知方向を例示する図。
【図８】同実施の形態に係る電子回路の構成を示すブロック図。
【図９】同実施の形態に係る主として制御部が実行する記録モード時の表示制御を含む処理内容を示すフローチャート。
【図１０】同実施の形態に係る縦横センサの検知出力と表示する画像の方向及び表示部との対応を示す図。
【符号の説明】
１０…デジタルスチルカメラ、１１…第１の筐体、１２…第２の筐体、１３…ヒンジ部、１４…撮影レンズ、１５…ストロボ発光部、１６…マイクロホン（ＭＩＣ）、１７…セルフタイマインジケータ、１８…レンズよけ凹部、１９…スピーカ（ＳＰ）、２０…メニューキー、２１…回転ダイヤル、２２…セットキー、２３…表示部、２４…シャッタキー、２５ａ〜２５ｄ…滑り止め部、２６，２７…縦横センサ、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…キー入力部、４７…ＪＰＥＧ回路、４８…メモリカード、４９…内蔵メモリ、５０…音声処理部、５１…ＵＳＢインタフェース（Ｉ／Ｆ）、５２…ストロボ駆動部、６０…携帯電話機、６１…ヒンジ部、６２…上部筐体、６３…下部筐体、６４…スピーカ（ＳＰ）、６５…メイン表示部、６６…各種キー、６７…マイクロホン（ＭＩＣ）、６８…カメラ部、６９…サブ表示部、７０…アンテナ、７１，７２…縦横センサ、８１…ＲＦ部、８２…変復調部、８３…ＣＤＭＡ部、８４…音声処理部、８５…制御部、８６…ＧＰＳレシーバ、８７…画像撮影部、８８…画像処理部、８９…メモリカード、９０…ＧＰＳアンテナ、９１…光学レンズ系、９２…ＣＣＤ。
【図１】
2004289412.tif 000003
【図２】
2004289412.tif 000004
【図３】
2004289412.tif 000005
【図４】
2004289412.tif 000006
【図５】
2004289412.tif 000007
【図６】
2004289412.tif 000008
【図７】
2004289412.tif 000009
【図８】
2004289412.tif 000010
【図９】
2004289412.tif 000011
【図１０】
2004289412.tif 000012